(57)【要約】  マルチメディアブロードキャスト／マルチキャスト（ＭＢＭＳ）サービスを支援する移動通信システムを開示する。基地局は、１つの第２の共通制御物理チャンネル（ＣＣＰＣＨ）にマッピングされた複数の送信チャンネル（ＴＣ）のうち、ＭＢＭＳ制御情報のためのＴＣを選択し、１つの第１のＣＣＰＣＨを用いて、選択されたＴＣを示すシステム情報ブロック（ＳＩＢ）を移動端末機（ＵＥ）が位置するセル領域へ送信し、選択されたＴＣを用いて、ＭＢＭＳ制御情報をセル領域へ送信する。ＵＥは、１つの第１のＣＣＰＣＨを介して、１つの第２のＣＣＰＣＨにマッピングされた複数のＴＣのうち、ＭＢＭＳ制御情報を送信するために選択されたＴＣを示すＳＩＢを受信し、ＳＩＢを用いて、複数のＴＣのうちの選択されたＴＣを介してＭＢＭＳ制御情報を受信し、ＭＢＭＳ制御情報を使用してＭＢＭＳサービスを受信する。
2006524444.tif 000002
【特許請求の範囲】
【請求項１】
複数の送信チャンネルを有する基地局と、前記基地局と通信を遂行する少なくとも一つの移動端末機を有するマルチメディアブロードキャスト／マルチキャスト（ＭＢＭＳ）サービスを支援する移動通信システムにおいて、前記基地局が前記移動端末機に前記ＭＢＭＳサービスを支援するためのＭＢＭＳ制御情報を送信する方法であって、
１つの第２の共通制御物理チャンネルにマッピングされた複数の送信チャンネルのうち、ＭＢＭＳ制御情報のための送信チャンネルを選択するステップと、
前記選択された送信チャンネルを示すシステム情報ブロックを第１の共通制御物理チャンネルを用いて、前記移動端末機が位置するセル領域へ送信するステップと、
前記選択された送信チャンネルを用いて、前記ＭＢＭＳ制御情報を前記セル領域へ送信するステップと、
を具備することを特徴とする方法。
【請求項２】
前記選択された送信チャンネルは、順方向アクセスチャンネル（ＦＡＣＨ）であることを特徴とする請求項１記載の方法。
【請求項３】
前記システム情報ブロックは、
前記第２の共通制御物理チャンネルに関する情報と、
該当送信チャンネルが前記ＭＢＭＳ制御情報を運搬するか否かを示すインジケータを含む前記複数の送信チャンネルのそれぞれに関する情報と、を具備することを特徴とする請求項１記載の方法。
【請求項４】
前記第２の共通制御物理チャンネルに関する情報は、
前記第２の共通制御物理チャンネルの直交可変拡散率（ＯＶＳＦ）コード情報と、前記第２の共通制御物理チャンネルの送信フォーマット組合せインジケータ（ＴＦＣＩ）とを含む送信フォーマット組合せセット（ＴＦＣＳ）を具備することを特徴とする請求項３記載の方法。
【請求項５】
前記複数の送信チャンネルのそれぞれに関する情報は、
該当送信チャンネルの送信フォーマットを示す送信フォーマットセット（ＴＦＳ）と、送信チャンネル識別子と、共通トラヒックチャンネルが前記該当送信チャンネルにマッピングされるか否かを示すインジケータと、前記該当送信チャンネルがページングチャンネルである場合に存在するページング指示チャンネルに関する情報と、をさらに含むことを特徴とする請求項３記載の方法。
【請求項６】
前記システム情報ブロックは、
前記選択された送信チャンネルがマッピングされた前記第２の共通制御物理チャンネルの識別子と、
前記選択された送信チャンネルの識別子とを含むことを特徴とする請求項１記載の方法。
【請求項７】
前記第２の共通制御物理チャンネルの識別子は、
前記第２の共通制御物理チャンネルに関する情報を含む他のシステム情報ブロックで、前記選択された送信チャンネルがマッピングされた前記第２の共通制御物理チャンネルに関する情報が記述された順序を示すことを特徴とする請求項６記載の方法。
【請求項８】
前記システム情報ブロックは、
前記選択された送信チャンネルがマッピングされた前記第２の共通制御物理チャンネルの識別子と、
前記選択された送信チャンネルの送信フォーマットを示す送信フォーマットセット（ＴＦＳ）識別子とを含むことを特徴とする請求項１記載の方法。
【請求項９】
前記第２の共通制御物理チャンネルの識別子は、
前記第２の共通制御物理チャンネルに関する情報を含む他のシステム情報ブロックで、前記選択された送信チャンネルがマッピングされた前記第２の共通制御物理チャンネルに関する情報が記述された順序を示すことを特徴とする請求項８記載の方法。
【請求項１０】
複数の送信チャンネルを有する基地局と、前記基地局と通信を遂行する少なくとも一つの移動端末機を有するマルチメディアブロードキャスト／マルチキャスト（ＭＢＭＳ）サービスを支援する移動通信システムにおいて、前記移動端末機が、前記基地局から送信された前記ＭＢＭＳサービスを支援するためのＭＢＭＳ制御情報を受信する方法であって、
１つの第２の共通制御物理チャンネルにマッピングされた複数の送信チャンネルのうち、ＭＢＭＳ制御情報を送信するように選択された送信チャンネルを示すシステム情報ブロックを、第１の共通制御物理チャンネルを介して受信するステップと、
前記システム情報ブロックを用いて、前記複数の送信チャンネルのうち、前記選択された送信チャンネルを介して前記ＭＢＭＳ制御情報を受信するステップと、
前記ＭＢＭＳ制御情報を用いて、前記ＭＢＭＳサービスを受信するステップと
を具備することを特徴とする方法。
【請求項１１】
前記選択された送信チャンネルは、
順方向アクセスチャンネル（ＦＡＣＨ）であることを特徴とする請求項１０記載の方法。
【請求項１２】
前記システム情報ブロックは、
前記第２の共通制御物理チャンネルに関する情報と、
該当送信チャンネルが前記ＭＢＭＳ制御情報を運搬するか否かを示すインジケータを含む前記複数の送信チャンネルのそれぞれに関する情報と、を含むことを特徴とする請求項１０記載の方法。
【請求項１３】
前記第２の共通制御物理チャンネルに関する情報は、
前記第２の共通制御物理チャンネルの直交可変拡散率（ＯＶＳＦ）コード情報と、前記第２の共通制御物理チャンネルの送信フォーマット組合せインジケータ（ＴＦＣＩ）とを含む送信フォーマット組合せセット（ＴＦＣＳ）を具備することを特徴とする請求項１２記載の方法。
【請求項１４】
前記複数の送信チャンネルのそれぞれに関する情報は、
該当送信チャンネルの送信フォーマットを示す送信フォーマットセット（ＴＦＳ）と、送信チャンネル識別子と、共通トラヒックチャンネルが前記該当送信チャンネルにマッピングされるか否かを示すインジケータと、前記該当送信チャンネルがページングチャンネルである場合に存在するページング指示チャンネルに関する情報と、をさらに含むことを特徴とする請求項１２記載の方法。
【請求項１５】
前記第２の共通制御物理チャンネルに関する情報を含む他のシステム情報ブロックを前記第１の共通制御物理チャンネルを介して受信するステップをさらに具備することを特徴とする請求項１０記載の方法。
【請求項１６】
前記システム情報ブロックは、
前記他のシステム情報ブロックで、前記選択された送信チャンネルがマッピングされた前記第２の共通制御物理チャンネルに関する情報が記述された順序を示す前記第２の共通制御物理チャンネルの識別子と、
前記選択された送信チャンネルの識別子と、を含むことを特徴とする請求項１５記載の方法。
【請求項１７】
前記システム情報ブロックは、
前記他のシステム情報ブロックで、前記選択された送信チャンネルがマッピングされた前記第２の共通制御物理チャンネルに関する情報が記述された順序を示す前記第２の共通制御物理チャンネルの識別子と、
前記選択された送信チャンネルの送信フォーマットを示す送信フォーマットセット（ＴＦＳ）識別子と、を含むことを特徴とする請求項１５記載の方法。
【請求項１８】
複数の送信チャンネルを有する基地局を含むマルチメディアブロードキャスト／マルチキャスト（ＭＢＭＳ）サービスを支援する移動通信システムにおいて、前記基地局から送信された前記ＭＢＭＳサービスを支援するためのＭＢＭＳ制御情報を受信する装置であって、
前記第２の共通制御物理チャンネルに関する情報に従ってＭＢＭＳ制御情報を送信するように選択された送信チャンネルを含む複数の送信チャンネルがマッピングされた１つの第２の共通制御物理チャンネルのデータを受信する受信部と、
前記受信部から受信された前記第２の共通制御物理チャンネルのデータを貯蔵するバッファと、
前記選択された送信チャンネルを示すシステム情報ブロックに従って、前記バッファに記憶されている前記第２の共通制御物理チャンネルのデータのうち、前記選択された送信チャンネルのデータを選択して、前記選択されたデータを前記バッファから出力する送信チャンネル判別部と、
前記バッファから出力された前記選択された送信チャンネルのデータを分析して、前記ＭＢＭＳサービスのための前記ＭＢＭＳ制御情報を取得する送信チャンネル処理部と、
を具備することを特徴とする装置。
【請求項１９】
前記送信チャンネル判別部は、
前記バッファに記憶されている前記第２の共通制御物理チャンネルのデータを前記第２の共通制御物理チャンネルにマッピングされた前記複数の送信チャンネルのデータに区分し、前記複数の送信チャンネルのデータに含まれた送信フォーマット組合せインジケータ（ＴＦＣＩ）を分析して、該当送信チャンネルを識別し、前記選択された送信チャンネルのデータを選択することを特徴とする請求項１８記載の装置。
【請求項２０】
前記システム情報ブロックは、
前記第２の共通制御物理チャンネルに関する情報と、
該当送信チャンネルが前記ＭＢＭＳ制御情報を運搬するか否かを示すインジケータを含む前記複数の送信チャンネルのそれぞれに関する情報と、を含むことを特徴とする請求項１８記載の装置。
【請求項２１】
前記第２の共通制御物理チャンネルに関する情報は、
前記第２の共通制御物理チャンネルの直交可変拡散率（ＯＶＳＦ）コード情報と、前記第２の共通制御物理チャンネルの送信フォーマット組合せインジケータ（ＴＦＣＩ）とを含む送信フォーマット組合せセット（ＴＦＣＳ）を具備することを特徴とする請求項２０記載の装置。
【請求項２２】
前記複数の送信チャンネルのそれぞれに関する情報は、
該当送信チャンネルの送信フォーマットを示す送信フォーマットセット（ＴＦＳ）と、送信チャンネル識別子と、共通トラヒックチャンネルが前記該当送信チャンネルにマッピングされるか否かを示すインジケータと、前記該当送信チャンネルがページングチャンネルである場合に存在するページング指示チャンネルに関する情報と、をさらに含むことを特徴とする請求項２０記載の装置。
【請求項２３】
前記システム情報ブロックは、
前記選択された送信チャンネルがマッピングされた前記第２の共通制御物理チャンネルの識別子と、
前記選択された送信チャンネルの識別子と、を含むことを特徴とする請求項１８記載の装置。
【請求項２４】
前記第２の共通制御物理チャンネルの識別子は、
前記第２の共通制御物理チャンネルに関する情報を含む他のシステム情報ブロックで、前記選択された送信チャンネルがマッピングされた前記第２の共通制御物理チャンネルに関する情報が記述された順序を示すことを特徴とする請求項２３記載の装置。
【請求項２５】
前記システム情報ブロックは、
前記選択された送信チャンネルがマッピングされた前記第２の共通制御物理チャンネルの識別子と、
前記選択された送信チャンネルの送信フォーマットを示す送信フォーマットセット（ＴＦＳ）識別子とを含むことを特徴とする請求項１８記載の装置。
【請求項２６】
前記第２の共通制御物理チャンネルの識別子は、
前記第２の共通制御物理チャンネルに関する情報を含む他のシステム情報ブロックで、前記選択された送信チャンネルがマッピングされた前記第２の共通制御物理チャンネルに関する情報が記述された順序を示すことを特徴とする請求項２５記載の装置。
【発明の詳細な説明】
【技術分野】
【０００１】
本発明は、マルチメディアブロードキャスト／マルチキャストサービスを支援する移動通信システムに関し、特に、マルチメディアブロードキャスト／マルチキャストサービスを支援するための制御情報を送受信する装置及び方法に関する。
【背景技術】
【０００２】
最近、通信技術の発達に伴って、符号分割多重接続（Code Division Multiple Access；以下、“ＣＤＭＡ”と称する）移動通信システムから提供するサービスは、従来の音声サービスだけではなく、パケットデータ、サーキットデータなどのような大容量のデータを伝送するマルチキャスティング／マルチメディア通信に発展している。
【０００３】
ヨーロッパ式移動通信システムであるＧＳＭ（Global System for Mobile Communications）及びＧＰＲＳ（General Packet Radio Services）に基づいて、広帯域（Wideband）符号分割多重接続（Code Division Multiple Access；以下、ＣＤＭＡと称する）を使用する第３世代（３Ｇ）移動通信システムであるＵＭＴＳ（Universal Mobile Telecommunication Service）システムにおいては、上記マルチキャスティング／マルチメディア通信を支援するために、１つのデータソースから複数の使用者端末機（User Equipment；以下、“ＵＥ”と称する）へ同一のデータストリームを提供するブロードキャスト／マルチキャストサービス（Broadcast/Multicast Service）を支援する。上記ブロードキャスト／マルチキャストサービスは、メッセージを主とするサービスであるセルブロードキャストサービス（Cell Broadcast Service；以下、“ＣＢＳサービス”と称する）及び、実時間映像、音声、停止映像、及びテキストを含むマルチメディアデータを支援するためのマルチメディアブロードキャスト／マルチキャストサービス（Multimedia Broadcast/Multicast Service；以下、“ＭＢＭＳサービス”と称する）に区分することができる。
【０００４】
図１は、移動通信システムにおけるＭＢＭＳサービスを提供するためのネットワーク構成を概略的に示す図である。
図１を参照すると、マルチキャスト／ブロードキャストサービスセンター（Broadcast／Multicast-Service Center；以下、“ＢＭ−ＳＣ”と称する）１１０は、ＭＢＭＳストリーム（stream）を提供するソース（source）であり、ＢＭ−ＳＣ１１０は、ＭＢＭＳサービスストリームをスケジューリング（scheduling）し、上記スケジューリングされたＭＢＭＳサービスストリームを送信ネットワーク（transit network（ＮＷ））１２０へ送信する。送信ネットワーク１２０は、ＢＭ−ＳＣ１１０とサービスパケット無線サービス支援ノード（Serving GPRS Support Node；以下、“ＳＧＳＮ”と称する）１３０との間に存在するネットワークを意味し、ＢＭ−ＳＣ１１０からＳＧＳＮ１３０へ提供されるＭＢＭＳサービスストリームを送信する。送信ネットワーク１２０は、ゲートウェイパケット無線サービス支援ノード（Gateway GPRS Support Node；以下、“ＧＧＳＮ”と称する）と外部ネットワークとから構成される。
【０００５】
送信ネットワーク１２０を介してＭＢＭＳサービスに対するストリームを受信するＳＧＳＮ１３０は、ＭＢＭＳサービスの受信を望む加入者装置、すなわち、ＵＥ１６１、１６２、１６３、１７１、１７２のＭＢＭＳ関連サービスを制御する。例えば、ＳＧＳＮ１３０は、それぞれの加入者に対するＭＢＭＳサービス課金関連データを管理し、ＭＢＭＳサービスデータを関連無線ネットワーク制御器（Radio Network Controller；ＲＮＣ）１４０に選択的に送信する。また、ＳＧＳＮ１３０は、上記ＭＢＭＳサービスに対するサービスコンテキスト（SERVICE CONTEXT）を構成して管理し、上記ＭＢＭＳサービスに対するストリームをＲＮＣ１４０へ送信する。
【０００６】
ＲＮＣ１４０は、自身が管理しているノードＢのうち、ＭＢＭＳサービスを要求するＵＥ１６１、１６２、１６３、１７１、及び１７２が位置するセルを制御するノードＢ１６０及び１７０へ上記ＭＢＭＳサービスストリームを送信する。ＲＮＣ１４０とノードＢ１６０及び１７０とは、ＵＴＲＡＮ（UMTS Terrestrial Radio Access Network）を構成する。
【０００７】
特定のＭＢＭＳサービスの受信を望むノードＢ１ １６０に属しているセル＃１は、ＵＥ１ １６１、ＵＥ２ １６２、及びＵＥ３ １６３を含み、ノードＢ２ １７０に属しているセル＃２は、ＵＥ４ １７１及びＵＥ５ １７２を含む。ここで、“セル”は、“ノードＢ”と類似している意味を有する。この場合に、ＲＮＣ１４０は、上記ＭＢＭＳサービスを提供するために、ノードＢ１６０及び１７０とＵＥ１６１、１６２、１６３、１７１、及び１７２との間に設定された無線チャンネル（radio channel）を制御する。図１に示すように、１つのノードＢ、例えば、ノードＢ１ １６０とそのノードＢ１ １６０に属しているＵＥ１６１〜１６３との間には、ＭＢＭＳサービスを提供するために、１つの無線チャンネルが構成される。
【０００８】
ＵＥ１６１、１６２、１６３、１７１及び１７２が、ＭＢＭＳサービスを受信するためには、まず、ＭＢＭＳサービスデータストリームを運送するためのＭＢＭＳ送信チャンネル（MBMS Transport Channel；以下、ＭＴＣＨと称する）に対する制御情報を取得する。上記制御情報は、上記送信チャンネルがマッピングされたコードチャンネルに関するコード情報及び上記ＭＢＭＳサービスに対するサービス識別子に関する情報を含み、上記送信チャンネルと区分される別途の論理チャンネル、すなわち、ＭＢＭＳ制御チャンネル（ＭＣＣＨ）を介して送信される。
【０００９】
上記ＭＢＭＳサービスデータだけではなく、ＭＢＭＳサービスに対する制御情報は、マルチキャストに基づいて送信されなければならない。特に、ＭＢＭＳサービスに対する無線ベアラー（Radio Bearer）情報は、該当セルで上記ＭＢＭＳサービスの受信を望むすべてのＵＥに対して有効である。しかしながら、他の論理チャンネルと同様に、ＭＣＣＨがすべての送信チャンネルにマッピングされて送信されると、ＵＥは、ＭＣＣＨを受信するために、すべての論理チャンネルを復号しなければならない。従って、ＵＥがセル内でＭＢＭＳサービスを迅速に受信するためには、ＭＢＭＳサービスに関連した制御情報を迅速にかつ簡素に受信するための技術を必要とした。
【発明の開示】
【発明が解決しようとする課題】
【００１０】
上記背景に鑑みて、本発明の目的は、ＭＢＭＳサービスを支援する基地局で、ＭＢＭＳサービスを支援するための制御情報を効率的に送信する装置及び方法を提供することにある。
【００１１】
本発明の他の目的は、ＵＥが基地局からのＭＢＭＳ制御情報を効率的に受信する装置及び方法を提供することにある。
【課題を解決するための手段】
【００１２】
このような目的を達成するために、本発明の１つの特徴によれば、複数の送信チャンネルを有する基地局と、上記基地局と通信を遂行する少なくとも一つの移動端末機を有するマルチメディアブロードキャスト／マルチキャスト（ＭＢＭＳ）サービスを支援する移動通信システムにおいて、上記基地局が上記移動端末機に上記ＭＢＭＳサービスを支援するためのＭＢＭＳ制御情報を送信する方法は、１つの第２の共通制御物理チャンネルにマッピングされた複数の送信チャンネルのうち、ＭＢＭＳ制御情報のための送信チャンネルを選択するステップと、上記選択された送信チャンネルを示すシステム情報ブロックを第１の共通制御物理チャンネルを用いて、上記移動端末機が位置するセル領域へ送信するステップと、上記選択された送信チャンネルを用いて、上記ＭＢＭＳ制御情報を上記セル領域へ送信するステップと、を具備することを特徴とする。
【００１３】
本発明の他の１つの特徴によれば、複数の送信チャンネルを有する基地局と、上記基地局と通信を遂行する少なくとも一つの移動端末機を有するマルチメディアブロードキャスト／マルチキャスト（ＭＢＭＳ）サービスを支援する移動通信システムにおいて、上記移動端末機が、上記基地局から送信された上記ＭＢＭＳサービスを支援するためのＭＢＭＳ制御情報を受信する方法は、１つの第２の共通制御物理チャンネルにマッピングされた複数の送信チャンネルのうち、ＭＢＭＳ制御情報を送信するように選択された送信チャンネルを示すシステム情報ブロックを、第１の共通制御物理チャンネルを介して受信するステップと、上記システム情報ブロックを用いて、上記複数の送信チャンネルのうち、上記選択された送信チャンネルを介して上記ＭＢＭＳ制御情報を受信するステップと、上記ＭＢＭＳ制御情報を用いて、上記ＭＢＭＳサービスを受信するステップとを具備することを特徴とする。
【００１４】
本発明のまた他の特徴によれば、複数の送信チャンネルを有する基地局を含むマルチメディアブロードキャスト／マルチキャスト（ＭＢＭＳ）サービスを支援する移動通信システムにおいて、上記基地局から送信された上記ＭＢＭＳサービスを支援するためのＭＢＭＳ制御情報を受信する装置は、上記第２の共通制御物理チャンネルに関する情報に従ってＭＢＭＳ制御情報を送信するように選択された送信チャンネルを含む複数の送信チャンネルがマッピングされた１つの第２の共通制御物理チャンネルのデータを受信する受信部と、上記受信部から受信された上記第２の共通制御物理チャンネルのデータを貯蔵するバッファと、上記選択された送信チャンネルを示すシステム情報ブロックに従って、上記バッファに記憶されている上記第２の共通制御物理チャンネルのデータのうち、上記選択された送信チャンネルのデータを選択して、上記選択されたデータを上記バッファから出力する送信チャンネル判別部と、上記バッファから出力された上記選択された送信チャンネルのデータを分析して、上記ＭＢＭＳサービスのための上記ＭＢＭＳ制御情報を取得する送信チャンネル処理部と、を具備することを特徴とする。
【発明の効果】
【００１５】
本発明は、特定のセル領域へＭＢＭＳ制御情報を１つの送信チャンネルのみを介して送信することによって、ＵＥは、上記ＭＢＭＳ制御情報を送信する送信チャンネルのみを処理する。その結果、効率的なデータ処理を遂行することができる。
【発明を実施するための最良の形態】
【００１６】
以下、本発明の好適な一実施形態を添付図面を参照しつつ詳細に説明する。なお、下記の説明において、本発明の要旨のみを明瞭にする目的で、関連した公知の機能又は構成に関する具体的な説明は省略する。
【００１７】
本発明は、マルチメディアブロードキャスト／マルチキャストサービス（以下、ＭＢＭＳサービスと称する）に関連した制御情報を効率的に送受信する装置及び方法を提供する。特に、基地局に使用可能な複数の送信チャンネルのうちから選択された１つの送信チャンネルを介してＭＢＭＳ制御情報を送信し、上記選択された送信チャンネルに対する制御情報を共通チャンネルのシステム情報ブロックを介してＵＥへ通知する。
【００１８】
本明細書では、ＭＢＭＳ制御情報を送信するＭＢＭＳ制御チャンネルの構成及び下位レイヤーのチャンネルにＭＢＭＳ制御チャンネルをマッピングするための方法について詳細に説明する。具体的に、下記には、ＭＢＭＳ制御情報を送信するための無線リンク上の物理チャンネル（Physical Channel）と、送信チャンネル（Transport Channel）と、論理チャンネル（Logical Channel）とを使用する方法について説明する。当該技術分野で周知のように、複数の論理チャンネルは、１つの送信チャンネルにマッピングされ、複数の送信チャンネルは、１つの物理チャンネルにマッピングされる。
【００１９】
以下、本発明の望ましい実施形態を説明する前に、ＵＥのＭＢＭＳサービスについて説明する。
図２は、典型的なＭＢＭＳシステムにおけるＲＮＣとＵＥとの間のＭＢＭＳサービスを遂行する手順を示す図である。図２において、ＲＮＣは、基地局（図示せず）を介してＭＢＭＳサービスの受信を望むＵＥにＭＢＭＳサービスを提供する。また、ＳＧＳＮは、ＢＭ−ＳＣ（図示せず）に接続されてＭＢＭＳサービスを管理する。
【００２０】
図２を参照すると、ステップ２００で、ＳＧＳＮは、ＭＢＭＳサービスに対する基本的な情報、例えば、ＢＭ−ＳＣから提供可能なＭＢＭＳサービスの識別子（ＭＢＭＳ ＩＤ）、サービス開始時間、及び持続時間をＵＥへ通知する（Announcement）。ステップ２１０で、上記ＭＢＭＳサービスの受信を望むＵＥは、ＳＧＳＮに加入する加入要求メッセージ（Joining Request Message）を送信する。上記加入要求メッセージのそれぞれは、該当ＵＥが望むＭＢＭＳサービスの識別コード及び該当ＵＥの識別子（ＵＥ ＩＤ）を含む。すると、ＳＧＳＮは、上記ＵＥの認証を遂行し、上記ＵＥに上記ＭＢＭＳサービスの利用可能性を通知する。このとき、ＳＧＳＮは、上記ＭＢＭＳサービスの受信を望むＵＥのリスト及び該当ＵＥの位置を貯蔵する。
【００２１】
ＢＭ−ＳＣがＵＥに上記ＭＢＭＳサービスの開始を通知すると、上記ＳＧＮＳは、ステップ２１６で、上記加入を遂行したＵＥが位置しているＲＮＣにセッション開始（Session Start）メッセージを送信する。ステップ２２０で、ＲＮＣは、上記ＵＥを呼び出すために、第２の共通制御物理チャンネル（Secondary-Common Control Physical Channel；Ｓ−ＣＣＰＣＨ ）のような共通チャンネル（Common Channel）を使用して通知（Notification）メッセージを送信する。上記通知は、ＳＧＳＮが上記ＭＢＭＳサービスがすぐに開始されることを該当ＵＥに通知する過程である。上記通知メッセージは、ＭＣＣＨを介して送信されることができる。
【００２２】
ステップ２３０で、上記呼び出されたＵＥが上記通知メッセージに対する応答メッセージ（Response Message）を送信する。上記応答メッセージの受信を介して、上記ＲＮＣは、セル別にＭＢＭＳサービスの受信を望むＵＥの数を把握し、該当セルに対する無線チャンネルの種類を決定することができる。例えば、特定のセルに位置している複数のＵＥがＭＢＭＳサービスの受信を望む場合には、共通チャンネルを介してＭＢＭＳサービスを提供し、ＭＢＭＳサービスの受信を望むＵＥの数が少数であるか、又は、１つである場合には、ＵＥ別に専用チャンネルを介してＭＢＭＳサービスを提供する。
【００２３】
ステップ２３６で、上記応答メッセージを送信したＵＥは、上記ＲＮＣがＭＣＣＨを介して送信するＭＢＭＳサービス情報、特に、無線ベアラー情報（ＭＢＭＳ ＲＢ情報と称する）を使用して、ＭＢＭＳサービスのための無線ベアラーを設定する。上記ＭＢＭＳ無線ベアラー情報は、無線チャンネル情報、例えば、直交可変拡散率（Orthogonal Variable Spreading Factor；ＯＶＳＦ）コードと、送信フォーマット（Transport Format；ＴＦ）と、無線リンク制御（Radio Link Control；ＲＬＣ）構成情報と、パケットデータコンバーゼンス制御（Packet Data Convergence Control；ＰＤＣＰ）構成情報とを含む。ステップ２４０で、上記ＲＮＣは、上記無線ベアラーを介してＭＢＭＳサービスデータストリームを提供し、ＵＥは、上記無線ベアラーを介してＭＢＭＳサービスデータストリームを受信する。
【００２４】
本発明の望ましい実施形態において、ＭＣＣＨは、ＭＢＭＳサービスに関連した制御情報であり、通知（Notification）メッセージ及びＭＢＭＳ ＲＢ情報を運搬するチャンネルであって、下記のような特徴を有する。
【００２５】
１．ＭＣＣＨは、セル当たり１つが構成される。
２． ＭＣＣＨは、Ｓ−ＣＣＰＣＨのような共通物理チャンネルを介して送信される。
３．ＭＣＣＨは、共通物理チャンネルにマッピングされる順方向アクセスチャンネル（Forward Access Channel；ＦＡＣＨ）のような共通送信チャンネルを介して送信される。
４．ＵＥは、セル別に構成されているＭＣＣＨに関する情報をシステム情報を使用して取得する。
【００２６】
ここで、ＭＣＣＨがマッピングされるＳ−ＣＣＰＣＨ及びＦＡＣＨについて説明する。
通信システム、特に、ＵＭＴＳ通信システムにおいて、通信サービスを提供するために、第１の共通制御物理チャンネル（Physical Common Control Physical Channel；Ｐ−ＣＣＰＣＨ）及びＳ−ＣＣＰＣＨは、セル構成のような共通システム情報を送信するのに使用される。上記物理チャンネルは、相互に異なる拡散コードを使用する相互に異なるコードチャンネルであって、１つ以上の共通送信チャンネルは、それぞれの物理チャンネルにマッピングされる。
【００２７】
ＵＥが特定のセルに進入して、上記セルと通信するためには、まず、ＵＥは、上記セルに関連したシステム情報を受信する。上記システム情報は、システム情報ブロック（System Information Block；ＳＩＢ）の形態でＰ−ＣＣＰＣＨを介して送信される。
【００２８】
図３に典型的なＰ−ＣＣＰＣＨの構成を示す。図３を参照すると、Ｐ−ＣＣＰＣＨは、該当セルに対する２５６個の直交可変拡散率（Orthogonal Variable Spreading Factor；ＯＶＳＲ）コードのうち、第１のコードＣ（２５６，１）を使用して拡散される。Ｐ−ＣＣＰＣＨは、８０ｍｓｅｃ単位に１つのマスター情報ブロック（Master Information Block；ＭＩＢ）及び２つのシステム情報ブロック（System Information Block；ＳＩＢ）を送信する。
【００２９】
上記ＭＩＢは、システムのＳＩＢに対するスケジューリング情報及びシステム情報が変更されるか否かを判断するのに使用される情報を含み、８０ｍｓｅｃごとに繰り返し送信される。上記ＳＩＢは、そこに含まれている情報の種類に従って、総１６種類のＳＩＢに区分され、典型的な幾つかのＳＩＢについて説明すると、下記の通りである。
【００３０】
すなわち、ＳＩＢ１は、各種タイマー（timer）とカウンター（counter）値と基幹網（Core Network；ＣＮ）とに関連した情報を含んでいる。ＳＩＢ２は、該当セルが属したＵＲＡ（UTRAN Registration Area）の識別子を含む。ＳＩＢ３は、セル選択（Cell Selection）及び再選択（re−selection）に必要な情報を含んでいる。ＳＩＢ４は、接続モード（Connected mode）のＵＥが使用するセル選択及び再選択に必要な情報を含んでいる。ＳＩＢ５は、該当セルに構成されている共通送信チャンネルに関する情報を含んでいる。ＳＩＢ６は、接続モードのＵＥが使用する該当セルの共通送信チャンネルに関する情報を含んでいる。上記共通送信チャンネルは、逆方向アクセスチャンネル（Reverse Access Channel；ＲＡＣＨ）と、順方向アクセスチャンネル（Forward Access Channel；ＦＡＣＨ）と、ページングチャンネル（Paging Channel；ＰＣＨ）とを含む。
【００３１】
専用チャンネル（Dedicate Channel；ＤＣＨ）を有していないＵＥは、特定のセルからサービスを受信するために、上記Ｐ−ＣＣＰＣＨを介して送信されたＳＩＢを受信し、必要な情報を貯蔵する。特に、ＵＥは、上述したＳＩＢ５又はＳＩＢ６を介して該当セルのＳ−ＣＣＰＣＨに関連した情報を受信し、上記情報を用いてＳ−ＣＣＰＣＨをアクセスする。説明の便宜上、ＳＩＢ５及びＳＩＢ６の組合せをＳＩＢ５／６と称する。
【００３２】
図４は、Ｓ−ＣＣＰＣＨの構成を示す図である。図４を参照すると、上記Ｓ−ＣＣＰＣＨは、上位階層の順方向アクセスチャンネル（Forward Access Channel；ＦＡＣＨ）及びページングチャンネル（Paging Channel；ＰＣＨ）のような共通送信チャンネルを含む。１０ｍｓの長さを有するＳ−ＣＣＰＣＨの１つの無線フレーム（Radio Frame）は、１５個のスロットから構成され、各スロットは、データ部分４２０と、送信フォーマット組合せインジケータ（Transport Format Combination Indicator；ＴＦＣＩ）４１０と、パイロット部分４３０とから構成される。データ部分４２０は、ＦＡＣＨ又はＰＣＨのデータを含み、ＴＦＣＩ部４１０は、データ部分４２０を介して送信されたデータの送信フォーマットを示すＴＦＣＩ情報を含む。パイロット部分４３０は、該当セルの識別情報を構成するパイロットビットを含む。
【００３３】
上記各部分を介して送信されるビットの数は、上記Ｓ−ＣＣＰＣＨに割り当てられたＯＶＳＦコードの拡散係数（ＳＦ）に従って決定され、上記Ｓ−ＣＣＰＣＨをアクセスするのに必要な情報は、上述したＳＩＢ５又はＳＩＢ６を介して該当セルに位置しているＵＥにブロードキャストされる。
【００３４】
データ部分４２０にマッピングされたＦＡＣＨは、複数のＵＥが共有する共通送信チャンネルである。しかしながら、上記ＦＡＣＨを介して特定のＵＥにユーザーデータ又は制御情報を送信することができる。すなわち、ＲＮＣから特定の状態（以下、Ｃｅｌｌ＿ＦＡＣＨ状態と称する）に滞在するように指示を受けたＵＥは、上記Ｓ−ＣＣＰＣＨを介して送信されたＦＡＣＨ上のすべてのデータを受信し、上記受信されたデータのヘッダー部分を参照して、データを処理するか、又は廃棄する。
【００３５】
１つのセル内には、複数のＳ−ＣＣＰＣＨが構成されることができ、各Ｓ−ＣＣＰＣＨには、複数のＦＡＣＨがマッピングされる。上記Ｓ−ＣＣＰＣＨとＦＡＣＨとの間の対応関係については、図５を参照して詳細に説明する。
【００３６】
図５を参照すると、１つのセル５０５には、複数のＳ−ＣＣＰＣＨ５１０〜５１５が構成される。Ｓ−ＣＣＰＣＨ５１０〜５１５は、ＰＣＨ５２０及びＦＡＣＨ５２５〜５３０をそれぞれ含む物理チャンネルである。各Ｓ−ＣＣＰＣＨ５１０には、１つのＰＣＨ５２０がマッピングされるか、又は、いずれのＰＣＨもマッピングされないことがある。各Ｓ−ＣＣＰＣＨ５１０には、１つ以上のＦＡＣＨ５２５〜５３０がマッピングされる。１つのＳ−ＣＣＰＣＨ５１０にマッピングされることができる送信チャンネルの最大数は、８つであるので、１つのＳ−ＣＣＰＣＨ５１０には、最大８つのＦＡＣＨが構成されることができる。
【００３７】
ＰＣＨ５２０にマッピングされた論理チャンネル（Logical Channel）は、ページング制御チャンネル（Paging Control Channel；ＰＣＣＨ）５３５であり、特定のＵＥに対するページングメッセージを送信する。ＦＡＣＨ５２５〜５３０のそれぞれにマッピングされた論理チャンネルは、専用制御チャンネル（Dedicate Control Channel；ＤＣＣＨ）と、専用トラヒックチャンネル（Dedicate Traffic Channel；ＤＴＣＨ）と、ブロードキャスト制御チャンネル（Broadcast Control Channel；ＢＣＣＨ）と、共通制御チャンネル（Common Control Channel；ＣＣＣＨ）と、共通トラヒックチャンネル（Common Traffic Channel；ＣＴＣＨ）とを含む。図５では、このような論理チャンネルを他の論理チャンネル（Other LCHs）に示す。上記論理チャンネルは、１つの送信チャンネル、すなわち、ＦＡＣＨを介して送受信されるので、論理チャンネルを処理する媒体アクセス制御（Media Access Control；ＭＡＣ）階層は、“ターゲットチャンネルタイプフィールド（Target Channel Type Field；ＴＣＴＦ）”と呼ばれる付加情報を使用して上記論理チャンネルを区分する。また、ＭＢＭＳサービスが提供される場合に、ＭＣＣＨ５４０及び５５０は、他の論理チャンネル５４５及び５５５と共にＦＡＣＨ５２５及び５３０にそれぞれマッピングされる。
【００３８】
以下、ＵＥがＭＣＣＨを介してＭＢＭＳ制御情報を受信する動作について説明する。
ＵＥは、Ｓ−ＣＣＰＣＨを介して受信された無線信号を貯蔵する。上記無線信号は、図４に示すようなＴＦＣＩ値を含む。ＵＥは、上記ＴＦＣＩ値に基づいて、特定の時点で受信された無線信号がマッピングされた送信チャンネルを識別することができる。従って、ＭＣＣＨの受信を望むＵＥは、ＦＡＣＨに該当する無線信号のみを検出し、上記ＴＣＴＦ情報を使用して、上記ＦＡＣＨに該当する無線信号から上記ＭＣＣＨに該当するデータを選択的に検出して上位階層へ送信する。
【００３９】
Ｓ−ＣＣＰＣＨに１つのＰＣＨ及び２つのＦＡＣＨ（ＦＡＣＨ１及びＦＡＣＨ２）が構成される場合を例に挙げて説明する。ＵＥは、Ｓ−ＣＣＰＣＨのＴＦＣＳ（Transport Format Combination Set）情報及び各送信チャンネルのＴＦＳ（Transport Format Set）情報をシステム情報を介して認知している。
【００４０】
上記ＴＦＳは、送信チャンネル別に割り当てられる。１つのＴＦＳは、複数の送信フォーマット（Transport Format；ＴＦ）を含み、それぞれのＴＦは、送信フォーマット識別子（Transport Format Identity；ＴＦＩ）で識別され、準静的部分（Semi-static part）及び動的部分（Dynamic part）のパラメータから構成される。上記準静的部分は、送信チャンネルのすべてのＴＦに適用されたパラメータで構成され、上記送信チャンネル上のデータが送受信される送信時間周期（Transmission Time Interval；ＴＴＩ）と、上記送信チャンネル上のデータに適用されたチャンネルコーディング及びコーディングレートと、エラー検出のためのＣＲＣ（Cyclic Redundancy Code）のビットサイズとを含む。上記動的部分は、送信チャンネルの送信フォーマット別に適用されたパラメータで構成され、単位時間当たり送受信されるデータの量（又は送信ブロックサイズ）を含む。
【００４１】
上記ＴＦＣＳは、物理チャンネル、すなわち、ここでは、Ｓ−ＣＣＰＣＨに割り当てられ、上記Ｓ−ＣＣＰＣＨにマッピングされた送信チャンネルの送信フォーマット組合せ識別子であるＴＦＣＩ（Transport Format Combination Identity）を含む。例えば、ＴＦＣＩ０は、ＰＣＨのＴＦＩ０と、ＦＡＣＨ１のＴＦＩ０と、ＦＡＣＨ２のＴＦＩ０との組合せを意味する。Ｓ−ＣＣＰＣＨの場合に、上記ＴＦＣＳの内容（すなわち、各ＴＦＣＩ）及びサイズ（幾つのＴＦＣＩがＴＦＣＳを構成するのに使用されるかを示す）は、システム情報として与えられる。
【００４２】
ＵＥは、自身が受信したＳ−ＣＣＰＣＨのＴＦＣＳ及び各送信チャンネルのＴＦＳを認知しているので、上記Ｓ−ＣＣＰＣＨを介して送信された無線信号のＴＦＣＩ値に基づいて、データが属している送信チャンネルを判断することができる。従って、ＭＣＣＨの受信を望むＵＥは、ＦＡＣＨ１及びＦＡＣＨ２に属している無線信号のみを検出して処理し、この後に、ＴＣＴＦを分析することによって、ＭＣＣＨデータのみを選択的に受信する。
【００４３】
しかしながら、上記ＭＣＣＨが他の論理チャンネルと同様に、図５に示すようなすべてのＦＡＣＨを介して送信すると、ＵＥは、物理階層でＳ−ＣＣＰＣＨのすべてのＦＡＣＨを非効率的に処理する。従って、上記問題点を解決するために、本発明の望ましい実施形態において、ＭＣＣＨは、Ｓ−ＣＣＰＣＨのすべてのＦＡＣＨのうちのいずれか１つにマッピングされる。
【００４４】
図６は、本発明の望ましい実施形態によるＭＣＣＨの送信チャンネルの構成を示す図である。
図６を参照すると、セル６０５のＳ−ＣＣＰＣＨ＃１ ６１０には、ＰＣＣＨ６３５又は他の論理チャンネル６４０及び６５５がマッピングされる複数のＦＡＣＨ６２５〜６３０が構成され、ＭＣＣＨ６５０は、特定の１つのＦＡＣＨ＃Ｘ ６３０にマッピングされる。ＲＮＣは、システム情報を介して、ＭＣＣＨがマッピングされるＦＡＣＨ（以下、ＦＡＣＨ＿ＭＣＣＨと称する）を通知する。ＭＢＭＳ制御情報、すなわち、ＭＣＣＨデータの受信を望むＵＥは、上記システム情報を介して、ＦＡＣＨ＿ＭＣＣＨのＴＦＳ及びＦＡＣＨ＿ＭＣＣＨを含むＳ−ＣＣＰＣＨ（以下、Ｓ−ＣＣＰＣＨ＿ＭＣＣＨと称する）のＴＦＣＳを認知する。ＵＥは、上記Ｓ−ＣＣＰＣＨのＴＦＣＩを分析することによって、上記ＦＡＣＨ＿ＭＣＣＨに該当するデータのみを処理する。このとき、ＵＥは、ＭＣＣＨを載せないＦＡＣＨを受信せず、ＭＣＣＨを載せるＦＡＣＨのみを受信する。上記システム情報に対しては、既存のＳＩＢにシステム情報項目（Information Element；ＩＥ）を追加するか、又は、新たなＳＩＢを使用することができる。
【００４５】
以下、ＭＣＣＨがマッピングされたＳ−ＣＣＰＣＨ及びＦＡＣＨを通知するための本発明の多様な実施形態について説明する。下記に説明する実施形態において、ＦＡＣＨ＿ＭＣＣＨは、ＭＣＣＨが送信されたＦＡＣＨを示し、ＦＡＣＨ＿ＭＣＣＨ情報は、ＭＣＣＨが送信されたＦＡＣＨをＵＥが認知することができる情報を示す。また、ＦＡＣＨ＿ＭＣＣＨを含むＳ−ＣＣＰＣＨを“Ｓ−ＣＣＰＣＨ＿ＭＣＣＨ”と称する。
【００４６】
第１の実施形態
第１の実施形態において、ＲＮＣは、ＦＡＣＨ＿ＭＣＣＨ情報をＳＩＢ５／６を介して送信する。
図７Ａは、本発明の第１の実施形態によるＦＡＣＨ＿ＭＣＣＨ情報を含むシステム情報の構成を示す図である。
【００４７】
移動通信システムにおいて、ＵＥとＲＮＣとの間で交換される上記システム情報は、図７Ａに示すように、複数の情報要素（Information Element；ＩＥ）７２５〜７６５から構成される。上記ＩＥは、送受信側で分析することができる情報の単位である。ＲＮＣがＵＥにセルごとに構成されているＳ−ＣＣＰＣＨに関する情報を通知するために、図７Ａに示すようなＳ−ＣＣＰＣＨシステム情報を該当ＳＩＢに含ませてブロードキャストする。
【００４８】
上記システム情報を構成する各ＩＥの属性は、Ｎｅｅｄ７１０と、Ｍｕｌｔｉ７１５と、Ｔｙｐｅ７２０とに区分される。
【００４９】
Ｎｅｅｄ７１０は、該当ＩＥが該当メッセージ又は上位ＩＥで必ず存在しなければならないか否かを示す値である。ＭＰ（Mandatory Present）は、該当ＩＥが該当メッセージ又は上位ＩＥにかならず存在しなければならないことを意味し、一方、ＯＰ（Optional）は、該当ＩＥが状況に従って任意に存在することができることを意味する。また、ＭＤ（Mandatory Default）は、該当ＩＥが存在しない場合に、すでに知られているデフォルト値に置き換えられることを意味する。各ＩＥは、複数の下位ＩＥから構成されることができ、上記複数の下位ＩＥは、１つの上位ＩＥを構成することができる。上記上位ＩＥ及び上記下位ＩＥは、相対的である。例えば、第２のＣＣＰＣＨシステム情報７２５は、最上位ＩＥであって、“>”で示した第２のＣＣＰＣＨ情報７３０と、ＴＦＣＳ７３５と、ＦＡＣＨ／ＰＣＨ情報７４０とを含む。また、“>>”で示したＴＦＳ７４５と、送信チャンネル識別子（Transport Channel Identity）７５０と、ＣＴＣＨインジケータ（Indicator）７５５と、ＰＩＣＨ（Paging Indicator Channel）情報７６０と、ＭＣＣＨインジケータ７６５とは、ＦＡＣＨ／ＰＣＨ情報７４０に含まれた下位ＩＥである。
【００５０】
Ｍｕｌｔｉ７１５は、該当ＩＥの最大の個数を示し、ブランク（blank）は、該当ＩＥの最大の個数が１つであることを意味する。図７Ａにおいて、第２のＣＣＰＣＨ情報７３０及びＴＦＣＳ７３５が１個のＩＥ、すなわち、ＴＦＳ７４５〜ＭＣＣＨインジケータ７６５を有していることを示す。Ｔｙｐｅ７２０は、該当ＩＥがどのような形態でコーディングされるかを示す。Ｅｎｕｍｅｒａｔｅは、該当ＩＥが実際に送信する間に整数で表現されるとしても、受信側では、各整数に対応する値として分析されることを意味する。また、Ｂｏｏｌｅａｎは、該当ＩＥが‘真（true）’又は‘偽（false）’のうちの１つの値で表現され、Ｉｎｔｅｇｅｒは、該当ＩＥが整数でコーディングされることを意味する。
【００５１】
Ｓ−ＣＣＰＣＨシステム情報７２５は、上述したように、ＳＩＢ５及びＳＩＢ６を介して送信され、ＵＥは、自身の状態に従って、ＳＩＢ５上の情報を使用するか、又は、ＳＩＢ６上の情報を使用する。セルを構成しているＳ−ＣＣＰＣＨ構成情報は、Ｓ−ＣＣＰＣＨシステム情報７２５を介して送信され、Ｓ−ＣＣＰＣＨシステム情報７２５は、第２のＣＣＰＣＨ情報７３０と、ＴＦＣＳ７３５と、ＦＡＣＨ／ＰＣＨ情報７４０とから構成される。
【００５２】
第２のＣＣＰＣＨ情報７３０は、該当Ｓ−ＣＣＰＣＨのＯＶＳＦコード情報を含み、ＴＦＣＳ７３５は、該当Ｓ−ＣＣＰＣＨのＴＦＣＳ情報、すなわち、ＴＦＣＩを含む。ＦＡＣＨ／ＰＣＨ情報７４０は、該当Ｓ−ＣＣＰＣＨにマッピングされた送信チャンネルに関連した情報を含む。
【００５３】
ＦＡＣＨ／ＰＣＨ情報７４０は、該当Ｓ−ＣＣＰＣＨにマッピングされている送信チャンネルのそれぞれに対して、該当送信チャンネルのＴＦＳ７４５と、送信チャンネル識別子（Transport Channel Identity）７５０と、ＣＴＣＨ（Common Traffic Channel）が該当送信チャンネルにマッピングされるか否かを示すＣＴＣＨインジケータ７５５と、該当送信チャンネルがＰＣＨである場合に該当ＰＣＨに対応するＰＩＣＨ情報７６０とを含む。ＦＡＣＨ／ＰＣＨ情報７４０の個数は、該当Ｓ−ＣＣＰＣＨから構成されている送信チャンネルの個数と同一である。
【００５４】
以下、本発明の第１の実施形態を説明するために、特定のセルに２個のＳ−ＣＣＰＣＨが構成されており、第１のＳ−ＣＣＰＣＨは、１つのＰＣＨ及び１つのＦＡＣＨから構成され、第２のＳ−ＣＣＰＣＨは、ＦＡＣＨ１及びＦＡＣＨ２から構成されていると仮定して、各Ｓ−ＣＣＰＣＨに対するシステム情報について説明する。
【００５５】
第１のＳ−ＣＣＰＣＨに対する第２のＣＣＰＣＨシステム情報７２５の例は、次の通りである。
【数１】
2006524444.tif 000003
上記例に従うと、第１のＳ−ＣＣＰＣＨのＦＡＣＨは、ＦＡＣＨ＿ＭＣＣＨとして割り当てられる。
【００５６】
第２のＳ−ＣＣＰＣＨに対する第２のＣＣＰＣＨシステム情報７２５の例は、次の通りである。
【数２】
2006524444.tif 000004
上記例に従うと、第２のＳ−ＣＣＰＣＨのＦＡＣＨ１は、ＦＡＣＨ＿ＭＣＣＨとして割り当てられる。
【００５７】
本発明の第１の実施形態では、ＦＡＣＨ情報が記入されるＦＡＣＨ／ＰＣＨ情報７４０にＭＣＣＨインジケータ７６５と呼ばれる下位ＩＥを含ませる。特定のＭＣＣＨがマッピングされたＦＡＣＨに対するＴＦＳ７４５及び送信チャンネル識別子７５０は、ＦＡＣＨ／ＰＣＨ情報７４０のうちの１つのＩＥに含まれるので、ＦＡＣＨ／ＰＣＨ情報７４０に‘真（true）’に設定されたＭＣＣＨインジケータ７６５を挿入する。ＭＣＣＨを送信しないＦＡＣＨに対しては、ＦＡＣＨ／ＰＣＨ情報７４０のＭＣＣＨインジケータ７６５を‘偽（false）’に設定する。
【００５８】
ＭＣＣＨの受信を望むＵＥは、第２のＣＣＰＣＨシステム情報７２５を介してセルを構成するのに使用されたＳ−ＣＣＰＣＨ構成情報及び各Ｓ−ＣＣＰＣＨで構成されたＦＡＣＨの構成情報を認知した後に、ＭＣＣＨインジケータ７６５が‘真’にコーディングされたＦＡＣＨをＦＡＣＨ＿ＭＣＣＨと見なす。ＲＮＣは、ＳＩＢ５／６を送信する間に、第２のＣＣＰＣＨシステム情報７２５を構成しつつ、ＭＣＣＨを送信するためのＦＡＣＨに対するＦＡＣＨ／ＰＣＨ情報７４０には、ＭＣＣＨインジケータ７６５を‘真’に設定し、ＭＣＣＨを送信しないＦＡＣＨのＭＣＣＨインジケータ７６５を‘偽’に設定する。
【００５９】
第２の実施形態
第２の実施形態において、ＭＣＣＨに関連した情報から構成されたＭＣＣＨ ＩＥを新たに定義し、ＦＡＣＨ＿ＭＣＣＨ情報である第２のＣＣＰＣＨ識別子及び送信チャンネル識別子を上記ＭＣＣＨ ＩＥに含ませる。図７Ｂは、本発明の第２の実施形態によるＭＣＣＨ ＩＥを含むシステム情報を示す図である。
【００６０】
図７Ｂを参照すると、ＭＣＣＨ ＩＥ７７０は、セル別に１つずつ構成されたＭＣＣＨに関連した情報を含む上位ＩＥであり、ＭＣＣＨが送信されたＦＡＣＨに関する情報を含むＭＣＣＨのための送信チャンネル７７２と呼ばれる下位ＩＥを含む。ＭＣＣＨのための送信チャンネル７７２は、第２のＣＣＰＣＨ識別子７７４と送信チャンネル識別子７７５とを含む。
【００６１】
第２のＣＣＰＣＨ識別子７７４は、ＦＡＣＨ＿ＭＣＣＨが送信されたＳ−ＣＣＰＣＨを示す識別子である。例えば、ＦＡＣＨ＿ＭＣＣＨが第３のＳ−ＣＣＰＣＨにマッピングされる場合に、第２のＣＣＰＣＨ識別子７７４は、３になる。ここで、Ｓ−ＣＣＰＣＨの順序は、ＳＩＢ５／６に記述されたシステム情報の順序と同一である。
【００６２】
送信チャンネル識別子（Transport Channel identity）７７５は、ＭＣＣＨがマッピングされたＦＡＣＨ、すなわち、ＦＡＣＨ＿ＭＣＣＨを示す識別子である。送信チャンネル識別子７７５は、１と３２との間の値を有し、ＲＮＣは、ＦＡＣＨ＿ＭＣＣＨの送信チャンネル識別子を送信チャンネル識別子７７５に挿入する。送信チャンネル識別子７７５は、第２のＣＣＰＣＨシステム情報７２５に含まれた該当送信チャンネルの送信チャンネル識別子７５０と同一である。他の情報（Other Information）７７８は、ＭＣＣＨに関連した他の情報を含み、本発明と直接的に関連していないので、詳細な説明を省略する。
【００６３】
以下、第２の実施形態を説明するために、特定のセルに２個のＳ−ＣＣＰＣＨが構成されており、第１のＳ−ＣＣＰＣＨは、１つのＰＣＨ及び１つのＦＡＣＨから構成され、第２のＳ−ＣＣＰＣＨは、ＦＡＣＨ１及びＦＡＣＨ２から構成されていると仮定して、各Ｓ−ＣＣＰＣＨに対するシステム情報について説明する。
【００６４】
第１のＳ−ＣＣＰＣＨのＦＡＣＨがＦＡＣＨ＿ＭＣＣＨである場合に、ＭＣＣＨのための送信チャンネル７７２の第２のＣＣＰＣＨ識別子７７４は、‘１’になり、送信チャンネル識別子７７５は、‘２’になる。第２のＳ−ＣＣＰＣＨのＦＡＣＨ１がＦＡＣＨ＿ＭＣＣＨである場合に、ＭＣＣＨのための送信チャンネル７７２の第２のＣＣＰＣＨ識別子７７４は、‘２’になり、送信チャンネル識別子７７５は、‘３２’になる。
【００６５】
第１のＳ−ＣＣＰＣＨのＦＡＣＨ及び第２のＳ−ＣＣＰＣＨのＦＡＣＨ１がすべてＦＡＣＨ＿ＭＣＣＨである場合に、２つのＭＣＣＨのための送信チャンネル７７２が使用される。このために、ＭＣＣＨ ＩＥ７７０は、Ｓ−ＣＣＰＣＨ識別子＝１、送信チャンネル識別子＝２、Ｓ−ＣＣＰＣＨ識別子＝２、及び送信チャンネル識別子＝３２のＩＥを有する。
【００６６】
第３の実施形態
第３の実施形態において、送信チャンネル識別子ではないＴＦＳ識別子（TFS identity）を使用して、ＦＡＣＨ＿ＭＣＣＨ情報を通知する。図７Ｃは、本発明の第３の実施形態によるＴＦＳ識別子を使用してＦＡＣＨ＿ＭＣＣＨを通知するのに必要なＩＥを示す図である。
【００６７】
ＲＮＣは、ＦＡＣＨ＿ＭＣＣＨを選択した後に、ＦＡＣＨ＿ＭＣＣＨに関する情報でＭＣＣＨのためのＴＦＳ７８２と呼ばれるＩＥを含むＭＣＣＨ ＩＥ７８０を構成し、上記構成されたＭＣＣＨ ＩＥ７８０をシステム情報として通知する。ＭＣＣＨのためのＴＦＳ７８２は、第２のＣＣＰＣＨ識別子７８４及びＴＦＳ識別子７８６の下位ＩＥから構成される。第２のＣＣＰＣＨ識別子７８４は、図７Ｂの第２のＣＣＰＣＨ識別子７７４と同一の情報を有する。すなわち、第２のＣＣＰＣＨ識別子７８４は、ＦＡＣＨ＿ＭＣＣＨがマッピングされたＳ−ＣＣＰＣＨの識別子である。ＴＦＳ識別子７８６は、ＦＡＣＨ＿ＭＣＣＨのＴＦＳ識別子を意味し、図７Ｂの送信チャンネル識別子７７５と同様に、送信チャンネルを区分するのに使用される。送信チャンネル識別子７７５は、最大３２の値を有する一方、ＴＦＳは、１つのＳ−ＣＣＰＣＨに対して、最大８つまで存在する。従って、ＴＦＳ識別子７８６は、最大８の値を有するので、その大きさが減少される、という長所がある。すなわち、第３の実施形態は、ＦＡＣＨ＿ＭＣＣＨが該当第２のＣＣＰＣＨシステム情報で、幾番目の送信チャンネルであるかを通知する方式を提供する。
【００６８】
以下、第３の実施形態を説明するために、特定のセルに２個のＳ−ＣＣＰＣＨが構成されており、第１のＳ−ＣＣＰＣＨは、１つのＰＣＨ及び１つのＦＡＣＨから構成され、第２のＳ−ＣＣＰＣＨは、ＦＡＣＨ１及びＦＡＣＨ２から構成されていると仮定して、各Ｓ−ＣＣＰＣＨに対するシステム情報について説明する。
【００６９】
第２のＳ−ＣＣＰＣＨのＦＡＣＨ１がＦＡＣＨ＿ＭＣＣＨである場合に、ＭＣＣＨのためのＴＦＳ７８２の第２のＣＣＰＣＨ識別子７８４は、‘２’になり、ＴＦＳ識別子７８６は、‘１’になる。第１のＳ−ＣＣＰＣＨのＦＡＣＨ及び第２のＳ−ＣＣＰＣＨのＦＡＣＨ１がすべてＦＡＣＨ＿ＭＣＣＨである場合に、２つのＭＣＣＨのためのＴＦＳ７８２が使用される。このために、ＭＣＣＨ ＩＥ７８０は、Ｓ−ＣＣＰＣＨ識別子＝１、ＴＦＳ識別子＝２、Ｓ−ＣＣＰＣＨ識別子＝２、及びＴＦＳ識別子＝１のＩＥを有する。
【００７０】
図８は、本発明の第１の実施形態によるＭＣＣＨを受信するＵＥの動作を示すフローチャートである。特定のセルに位置しているＵＥは、ＲＮＣが支援したＭＢＭＳサービスを受信するために、該当セルのシステム情報を取得する。上記システム情報は、上記ＲＮＣから上記セルを管理するノードＢへ送信され、第２のＣＣＰＣＨシステム情報７２５と呼ばれるＩＥを含む。まず、ステップ８０５で、ＵＥは、第２のＣＣＰＣＨシステム情報７２５を受信する。第２のＣＣＰＣＨシステム情報７２５は、例えば、Ｐ−ＣＣＰＣＨを介して送信されるＳＩＢ５／６に含まれる。
【００７１】
ステップ８１０で、ＵＥは、第２のＣＣＰＣＨシステム情報７２５に含まれているＳ−ＣＣＰＣＨ＿ＭＣＣＨ情報及びＦＡＣＨ＿ＭＣＣＨ＿ＡＬＬ情報を抽出する。上記Ｓ−ＣＣＰＣＨ＿ＭＣＣＨ情報は、ＭＣＣＨインジケータ７６５が‘真’に設定されているＦＡＣＨ／ＰＣＨ情報７４０を含んでいる第２のＣＣＰＣＨシステム情報７２５である。すなわち、上記Ｓ−ＣＣＰＣＨ＿ＭＣＣＨ情報は、図７Ａに示した第２のＣＣＰＣＨ情報７３０と、ＴＦＣＳ７３５と、ＦＡＣＨ／ＰＣＨ情報７４０とを含む。上記ＦＡＣＨ＿ＭＣＣＨ＿ＡＬＬ情報は、ＦＡＣＨ＿ＭＣＣＨの送信チャンネル識別子７５０を意味する。
【００７２】
ステップ８１５で、ＵＥは、上記Ｓ−ＣＣＰＣＨ＿ＭＣＣＨ情報及びＦＡＣＨ＿ＭＣＣＨ＿ＡＬＬ情報に従って物理階層を再構成し、上記物理階層を介してＳ−ＣＣＰＣＨデータを受信する。すなわち、ＵＥは、Ｓ−ＣＣＰＣＨ＿ＭＣＣＨ情報の第２のＣＣＰＣＨ情報７３０とＴＦＣＳ７３５とＦＡＣＨ／ＰＣＨ情報７４０とを使用して、Ｓ−ＣＣＰＣＨを受信するための物理階層のデチャンネル化部と、送信チャンネル判別部と、送信チャンネル処理部とを構成する。このとき、ＦＡＣＨ＿ＭＣＣＨ＿ＡＬＬ情報、すなわち、ＦＡＣＨ＿ＭＣＣＨの送信チャンネル識別子７５０は、送信チャンネル判別部へ送信される。上記デチャンネル化部、送信チャンネル判別部、及び送信チャンネル処理部の詳細な構成については、図１０を参照して説明する。上記受信されたＳ−ＣＣＰＣＨデータは、Ｓ−ＣＣＰＣＨにマッピングされた複数の送信チャンネルのデータから構成され、上記送信チャンネル処理部へ提供される前にバッファに貯蔵される。
【００７３】
ステップ８２０で、ＵＥは、上記受信されたＳ−ＣＣＰＣＨ＿ＭＣＣＨ情報のＴＦＣＳ７３５に含まれたＴＦＣＩ値を検出する。ＵＥの送信チャンネル判別部は、上記ＴＦＣＩ値を分析し、上記分析されたＳ−ＣＣＰＣＨ＿ＭＣＣＨのＴＦＣＩ値に従って、バッファに貯蔵されたＳ−ＣＣＰＣＨデータが該当する送信チャンネルを確認する。例えば、上記バッファに記憶されているデータのうちの半分がＦＡＣＨ１データであり、残りがＦＡＣＨ２データである場合に、上記データを該当送信チャンネル処理部へ送信するように準備する。
【００７４】
ステップ８２５で、ＵＥの送信チャンネル判別部は、上記バッファに記憶されているＳ−ＣＣＰＣＨデータのうち、ＦＡＣＨ＿ＭＣＣＨに該当するデータを該当送信チャンネル処理部へ伝達する。このとき、ＭＢＭＳサービスに不必要な他の送信チャンネルのデータは、上記送信チャンネル処理部へ送信されず、上記バッファで廃棄されることができる。このような動作を遂行することによって、ＵＥは、選択されたＦＡＣＨを介して送信されたＭＣＣＨデータ、すなわち、ＭＢＭＳ制御情報のみを選択して処理する。
【００７５】
図９は、本発明の第２の実施形態及び第３の実施形態によるＭＣＣＨを受信するためのＵＥの動作を示すフローチャートである。まず、ＵＥは、ステップ９０５で、第２のＣＣＰＣＨシステム情報７２５とＭＣＣＨ ＩＥ７７０及び７８０とを受信する。ここで、第２のＣＣＰＣＨシステム情報７２５は、ＦＡＣＨ＿ＭＣＣＨに関する情報を含まない典型的なＳ−ＣＣＰＣＨに関連したパラメータを含み、図７Ａに示したＳ−ＣＣＰＣＨシステム情報のうち、ＭＣＣＨインジケータ７６５を除いた残りのＩＥから構成される。第２のＣＣＰＣＨシステム情報７２５は、ＳＩＢ５／６に含まれる。ＭＣＣＨ ＩＥ７７０及び７８０は、新たなＳＩＢに含まれることができる。
【００７６】
ＵＥは、ステップ９１０で、第２のＣＣＰＣＨシステム情報７２５とＭＣＣＨ ＩＥ７７０及び７８０とからＳ−ＣＣＰＣＨ＿ＭＣＣＨ情報及びＦＡＣＨ＿ＭＣＣＨ＿ＡＬＬ情報をそれぞれ抽出する。上記ＦＡＣＨ＿ＭＣＣＨ＿ＡＬＬ情報については、第２の実施形態及び第３の実施形態に分けて説明する。
【００７７】
まず、第２の実施形態について説明すると、ＭＣＣＨ ＩＥ７７０の第２のＣＣＰＣＨ識別子７７４の値が‘ｘ’であると仮定すると、ｘ番目の第２のＣＣＰＣＨシステム情報７２５の第２のＣＣＰＣＨ情報７３０及びＴＦＣＳ７３５をＳ−ＣＣＰＣＨ＿ＭＣＣＨ情報として見なす。また、ＭＣＣＨ ＩＥ７７０の送信チャンネル識別子７７５の値を‘ｙ’であると仮定すると、上記ｘ番目の第２のＣＣＰＣＨシステム情報７２５に含まれている送信チャンネルに関する情報のうち、送信チャンネル識別子７５０が‘ｙ’である送信チャンネルをＦＡＣＨ＿ＭＣＣＨとして見なす。ＦＡＣＨ＿ＭＣＣＨのＴＦＳ７４５及び送信チャンネル識別子７５０は、ＦＡＣＨ＿ＭＣＣＨ＿ＡＬＬ情報であると見なす。
【００７８】
第３の実施形態について説明すると、ＭＣＣＨ ＩＥ７８０の第２のＣＣＰＣＨ識別子７８４の値を‘ｘ’であると仮定すると、ｘ番目の第２のＣＣＰＣＨシステム情報７２５の第２のＣＣＰＣＨ情報７３０及びＴＦＣＳ７３５をＳ−ＣＣＰＣＨ＿ＭＣＣＨ情報として見なす。また、ＭＣＣＨ ＩＥ７８０のＴＦＳ 識別子７８６の値を‘ｙ’であると仮定すると、上記ｘ番目の第２のＣＣＰＣＨシステム情報７２５に含まれている送信チャンネルのうち、ｙ番目の送信チャンネルをＦＡＣＨ＿ＭＣＣＨとして見なす。上記ＦＡＣＨ＿ＭＣＣＨのＴＦＳ情報７４５及び送信チャンネル識別子７５０は、ＦＡＣＨ＿ＭＣＣＨ＿ＡＬＬ情報であると見なす。
【００７９】
ステップ９１５で、ＵＥは、上記Ｓ−ＣＣＰＣＨ＿ＭＣＣＨ情報及びＦＡＣＨ＿ＭＣＣＨ＿ＡＬＬ情報に従って物理階層を再構成し、上記物理階層を介してＳ−ＣＣＰＣＨデータを受信する。すなわち、ＵＥは、Ｓ−ＣＣＰＣＨ＿ＭＣＣＨ情報の第２のＣＣＰＣＨ情報７３０と、ＴＦＣＳ７３５と、ＦＡＣＨ／ＰＣＨ情報７４０とを使用して、Ｓ−ＣＣＰＣＨを受信するための物理階層のデチャンネル化部、送信チャンネル判別部、及び送信チャンネル処理部を構成する。このとき、ＦＡＣＨ＿ＭＣＣＨ＿ＡＬＬ情報、すなわち、ＦＡＣＨ＿ＭＣＣＨの送信チャンネル識別子７５０は、送信チャンネル判別部へ送信される。上記デチャンネル化部、送信チャンネル判別部、及び送信チャンネル処理部の詳細な構成については、図１０を参照して説明する。上記受信されたＳ−ＣＣＰＣＨデータは、上記Ｓ−ＣＣＰＣＨにマッピングされた送信チャンネルのデータから構成され、送信チャンネル処理部に提供される前にバッファに記憶される。
【００８０】
ステップ９２０で、ＵＥは、上記受信されたＳ−ＣＣＰＣＨ＿ＭＣＣＨ情報のＴＦＣＳ７３５に含まれたＴＦＣＩ値を検出する。ＵＥの送信チャンネル判別部は、上記ＴＦＣＩ値を分析し、上記分析されたＳ−ＣＣＰＣＨ＿ＭＣＣＨのＴＦＣＩ値に従って、バッファに記憶されているＳ−ＣＣＰＣＨデータが該当する送信チャンネルを確認する。例えば、上記バッファに記憶されているデータのうちの半分がＦＡＣＨ１データであり、残りがＦＡＣＨ２データである場合に、上記データを該当送信チャンネル処理部へ送信するように準備する。
【００８１】
ステップ９２５で、ＵＥの送信チャンネル判別部は、上記バッファに記憶されているＳ−ＣＣＰＣＨデータのうち、ＦＡＣＨ＿ＭＣＣＨに該当するデータを該当送信チャンネル処理部へ伝達する。このような動作を遂行することによって、ＵＥは、選択されたＦＡＣＨを介して送信されたＭＣＣＨデータ、すなわち、ＭＢＭＳ制御情報のみを選択して処理する。
【００８２】
図１０は、本発明の望ましい実施形態によるＭＣＣＨを受信するＵＥの構成を示すブロック図である。
図１０を参照すると、受信アンテナ１１０５は、ＵＥが位置するセルを管理するノードＢから送信された無線上の信号を受信して、ＲＦ（Radio Frequency）部１１１０へ伝達する。ＲＦ部１１１０は、上記無線信号を基底帯域信号に変換し、上記変換された基底帯域信号を復調部１１１５へ伝達する。復調部１１１５は、上記基底帯域信号を復調し、上記復調された信号をＳ−ＣＣＰＣＨ受信部１１２０へ伝達する。Ｓ−ＣＣＰＣＨ受信部１１２０は、デチャンネル化部１１２５と、バッファ１１３０と、送信チャンネル判別部１１３５とから構成される。
【００８３】
デチャンネル化部１１２５は、あらかじめ受信されたシステム情報を介して、第２のＣＣＰＣＨシステム情報７２５の複数のＩＥを取得し、第２のＣＣＰＣＨシステム情報７２５の第２のＣＣＰＣＨ情報７３０、すなわち、Ｓ−ＣＣＰＣＨのＯＶＳＦコードを使用して、上記復調された信号をデチャンネル化（de-channelization）することによって、Ｓ−ＣＣＰＣＨデータを抽出する。上記抽出されたＳ−ＣＣＰＣＨデータは、バッファ１１３０に記憶される。
【００８４】
上記Ｓ−ＣＣＰＣＨデータは、図４に示すように、データフィールド及びＴＦＣＩフィールドから構成される。送信チャンネル判別部１１３５は、第２のＣＣＰＣＨシステム情報７２５のＴＦＣＳ７３５と各送信チャンネルのＴＦＳ７４５とを用いて、バッファ１１３０に記憶されているＳ−ＣＣＰＣＨデータを複数の送信チャンネルのデータに区分した後に、上記送信チャンネル上のデータのＴＦＣＩを分析する。送信チャンネル判別部１１３５は、Ｓ−ＣＣＰＣＨのＴＦＣＳ７３５及び各送信チャンネルのＴＦＳ７４５に従って、バッファ１１３０に記憶されているデータをどんな送信チャンネル処理部１１４０へ伝達すべきであるかを判断する。ここで、２つ以上のＦＡＣＨ＿ＭＣＣＨが２つ以上のＳ−ＣＣＰＣＨに割り当てられていると仮定すると、ＭＢＭＳ制御情報を取得するために、上記ＦＡＣＨ＿ＭＣＣＨのデータを別途に処理する２つ以上の送信チャンネル処理部１１４０が使用される。
【００８５】
第１の実施形態において、送信チャンネル判別部１１３５は、各送信チャンネルのＦＡＣＨ／ＰＣＨ情報７４０のＭＣＣＨインジケータ７６５を分析して、ＭＣＣＨインジケータ７６５が‘真’に設定された送信チャンネルをＦＡＣＨ＿ＭＣＣＨとして判断する。第２のＳ−ＣＣＰＣＨのＦＡＣＨ１がＦＡＣＨ＿ＭＣＣＨであると判断されると、送信チャンネル判別部１１３５は、ＴＦＣＳ７３５に含まれたＴＦＣＩのうち、上記ＦＡＣＨ＿ＭＣＣＨのＴＦＣＩ値が‘１’に設定されたＳ−ＣＣＰＣＨデータ、すなわち、ＦＡＣＨ＿ＭＣＣＨデータを選択し、ＭＢＭＳサービスに必要なＭＢＭＳ制御情報を取得するために、上記選択されたＦＡＣＨ＿ＭＣＣＨデータを送信チャンネル処理部１１４０へ伝達する。
【００８６】
第２の実施形態において、送信チャンネル判別部１１３５は、ＭＣＣＨ ＩＥ７７０のＳ−ＣＣＰＣＨ識別子７７４及び送信チャンネル識別子７７５を分析することによって、ＦＡＣＨ＿ＭＣＣＨを確認する。Ｓ−ＣＣＰＣＨ識別子７７４が第２のＳ−ＣＣＰＣＨを示す‘２’であり、送信チャンネル識別子７７５がＦＡＣＨ１を示す‘３２’である場合に、送信チャンネル判別部１１３５は、第２のＳ−ＣＣＰＣＨのＦＡＣＨ１をＦＡＣＨ＿ＭＣＣＨとして見なし、ＴＦＣＳ７３５に含まれたＴＦＣＩのうち、上記ＦＡＣＨ＿ＭＣＣＨのＴＦＣＩ値が‘１’に設定されたＳ−ＣＣＰＣＨデータ、すなわち、ＦＡＣＨ＿ＭＣＣＨデータを選択し、ＭＢＭＳサービスに必要なＭＢＭＳ制御情報を取得するために、上記選択されたＦＡＣＨ＿ＭＣＣＨデータを送信チャンネル処理部１１４０へ伝達する。
【００８７】
第３の実施形態において、送信チャンネル判別部１１３５は、ＭＣＣＨ ＩＥ７８０のＳ−ＣＣＰＣＨ識別子７８４及びＴＦＳ識別子７８６を分析することによって、ＦＡＣＨ＿ＭＣＣＨを確認する。Ｓ−ＣＣＰＣＨ識別子７８４が第２のＳ−ＣＣＰＣＨを示す‘２’であり、ＴＦＳ識別子７８６がＦＡＣＨ１を示す‘１’である場合に、上記第２のＳ−ＣＣＰＣＨのＦＡＣＨ１をＦＡＣＨ＿ＭＣＣＨとして見なし、ＴＦＣＳ７３５に含まれたＴＦＣＩのうち、ＦＡＣＨ＿ＭＣＣＨのＴＦＣＩ値が‘１’に設定されたＳ−ＣＣＰＣＨデータ、すなわち、ＦＡＣＨ＿ＭＣＣＨデータを選択し、ＭＢＭＳサービスに必要なＭＢＭＳ制御情報を取得するために、上記選択されたＦＡＣＨ＿ＭＣＣＨデータを送信チャンネル処理部１１４０へ伝達する。
【００８８】
送信チャンネル処理部１１４０は、チャンネルデコーディング部１１４５とＣＲＣ演算部１１５０とから構成される。ＵＥが受信したＳ−ＣＣＰＣＨシステム情報７２５のＴＦＳ７４５に含まれているチャンネルコーディングパラメータ及びＣＲＣ関連パラメータは、送信チャンネル処理部１１４０の構成のために使用される。チャンネルデコーディング部１１４５は、バッファ１１３０から伝達されたＦＡＣＨ＿ＭＣＣＨデータをチャンネルデコーディングした後に、ＣＲＣ演算部１１５０へ伝達する。ＣＲＣ演算部１１５０は、上記デコーディングされたＦＡＣＨ＿ＭＣＣＨデータに対してＣＲＣ演算を遂行し、上記ＣＲＣの結果が‘良好’又は‘エラー無し’である場合に、ＣＲＣ部分を除いた純粋なデータ部分を上位階層へ伝達する。上記上位階層は、上記純粋なデータ部分を分析することによってＭＢＭＳ制御情報を取得し、ＭＢＭＳサービスのために上記ＭＢＭＳ制御情報を使用する。
【００８９】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００９０】
【図１】一般的なＭＢＭＳサービスを支援する移動通信システムの構成を概略的に示す図である。
【図２】移動通信システムにおけるＭＢＭＳサービスを支援する手順を示す図である。
【図３】第１の共通制御物理チャンネル（Ｐ−ＣＣＰＣＨ）の構成を示す図である。
【図４】第２の共通制御物理チャンネル（Ｓ−ＣＣＰＣＨ）の構成を示す図である。
【図５】ＭＢＭＳサービスを支援するための制御信号を送信するチャンネルを示す図である。
【図６】本発明の実施形態によるＭＢＭＳサービスを支援するための制御信号を送信するチャンネルを示す図である。
【図７Ａ】本発明の第１の実施形態によるＭＢＭＳサービスを支援するための制御信号の構成を示す図である。
【図７Ｂ】本発明の第２の実施形態によるＭＢＭＳサービスを支援するための制御信号の構成を示す図である。
【図７Ｃ】本発明の第３の実施形態によるＭＢＭＳサービスを支援するための制御信号の構成を示す図である。
【図８】本発明の第１の実施形態によるＵＥが制御信号を受信する過程を示すフローチャートである。
【図９】本発明の第２及び第３の実施形態によるＵＥが制御信号を受信する過程を示すフローチャートである。
【図１０】本発明の望ましい実施形態によるＭＢＭＳサービスを受信するＵＥの構成を示すブロック図である。
【符号の説明】
【００９１】
１１０５      受信アンテナ
１１１０      ＲＦ（Radio Frequency）部
１１１５      復調部
１１２０      Ｓ−ＣＣＰＣＨ受信部
１１２５      デチャンネル化部
１１３０      バッファ
１１３５      送信チャンネル判別部
１１４０      送信チャンネル処理部
１１４５      チャンネルデコーディング部
１１５０      ＣＲＣ演算部
【図１】
2006524444.tif 000005
【図２】
2006524444.tif 000006
【図３】
2006524444.tif 000007
【図４】
2006524444.tif 000008
【図５】
2006524444.tif 000009
【図６】
2006524444.tif 000010
2006524444.tif 000011
2006524444.tif 000012
2006524444.tif 000013
【図８】
2006524444.tif 000014
【図９】
2006524444.tif 000015
【図１０】
2006524444.tif 000016
【国際調査報告】
2006524444.tif 000017
2006524444.tif 000018